(57)【要約】【課題】  低コストでかつ短時間で入出力部に表示される画像を加工することが可能な産業用機器及び表示装置を提供することを目的とする。【解決手段】  ＰＣ１２には、表示設定部４と通信を行い、画像データを取り込む専用プログラムが搭載され、表示設定部４には、ＰＣ１２側の専用プログラムの指示に従い、入出力部９のディスプレイに表示されている画面を画像データにする専用プログラムが搭載される。【選択図】      図１
2005092819.tif 000002
【特許請求の範囲】
【請求項１】
被制御部を制御する制御部と該制御部とネットワークを介してデータを送受信する表示設定部とを備え、前記ネットワークを介してコンピュータとデータを送受信する産業用機器であって、
前記制御部は、
複数のデータを記録する記録部と、
前記表示設定部から送信される第１の要求データを受信すると共に、該第１の要求データに基づいて、前記記録部に記録される前記複数のデータから取り出される所定のデータを前記表示設定部に送信する第１の送受信部と、
を備え、
前記表示設定部は、
前記制御部に前記第１の要求データを送信すると共に、前記制御部から送信される前記所定のデータ及び前記コンピュータから送信される第２の要求データを受信する第２の送受信部と、
前記第２の送受信部で受信される前記所定のデータから表示データを生成する表示データ生成部と、
前記表示データ生成部で生成される前記表示データを表示する表示部と、
を備え、
前記表示データ生成部は、前記第２の要求データに基づいて前記表示部により表示されている画像をそのまま表す画像データを生成し、
前記第２の送受信部は、前記コンピュータが前記画像データを処理できるように、前記画像データを前記コンピュータに送信することを特徴とする産業用機器。
【請求項２】
ネットワークを介して所定のデータ及び要求データを受信する送受信部と、
前記送受信部で受信される前記所定のデータから表示データを生成する表示データ生成部と、
前記表示データ生成部で生成される表示データを表示する表示部と、
を備え、
前記表示データ生成部は、前記要求データに基づいて前記表示部により表示されている画像をそのまま表す画像データを生成し、
前記送受信部は、前記コンピュータが前記画像データを処理できるように、前記画像データを前記コンピュータに送信することを特徴とする表示装置。
【請求項３】
被制御部を制御する制御部と、該制御部とネットワークを介してデータを送受信する表示設定部とを備える産業用機器であって、
前記制御部は、
複数のデータを記録する記録部と、
前記表示設定部から送信される要求データを受信すると共に、該要求データに基づいて、前記記録部に記録される前記複数のデータから取り出される所定のデータを前記表示設定部に送信する第１の送受信部と、
を備え、
前記表示設定部は、
前記制御部に前記要求データを送信すると共に、前記制御部から送信される前記所定のデータを受信する第２の送受信部と、
前記第２の送受信部で受信される前記所定のデータから表示データを生成させる表示データ生成部と、
前記表示データ生成部で生成される前記表示データを表示する表示部と、
を備え、
前記表示データ生成部は、前記表示部により表示されている画像をそのまま表す画像データを生成し、コンピュータが前記画像データを処理できるように前記画像データを記録媒体に記録することを特徴とする産業用機器。
【請求項４】
ネットワークを介して所定のデータを受信する受信部と、
前記受信部で受信される前記所定のデータから表示データを生成させる表示データ生成部と、
前記表示データ生成部で生成される前記表示データを表示する表示部と、
を備え、
前記表示データ生成部は、前記表示部により表示されている画像をそのまま表す画像データを生成し、コンピュータが前記画像データを処理できるように前記画像データを記録媒体に記録することを特徴とする表示装置。
【請求項５】
請求項１または３に記載の産業用機器であって、
前記画像データは、ビットマップデータであることを特徴とする産業用機器。
【請求項６】
請求項２または４に記載の表示装置であって、
前記画像データは、ビットマップデータであることを特徴とする表示装置。
【請求項７】
請求項１または３に記載の産業用機器であって、
前記表示設定部は、組込機器として構成されることを特徴とする産業用機器。
【請求項８】
請求項２または４に記載の表示装置であって、
組込機器として構成されることを特徴とする表示装置。
【請求項９】
請求項１または３に記載の産業用機器であって、
前記所定データは、前記被制御部に関連する情報を前記表示部に表示させるためのデータであることを特徴とする産業用機器。
【請求項１０】
請求項２または４に記載の表示装置であって、
前記所定データは、産業用機器により制御される被制御部に関連する情報を前記表示部に表示させるためのデータであることを特徴とする表示装置。
【発明の詳細な説明】
【技術分野】
【０００１】
本発明は、ネットワークを介してデータが送受信される産業用機器及び表示装置に関し、特に、出力部に表示される画像のハードコピーに関する。
【背景技術】
【０００２】
今日のインターネットやＷＷＷ（Ｗｏｒｌｄ  Ｗｉｄｅ  Ｗｅｂ）の技術の発展により、織機などの産業用機器は、ＷｅｂサーバやＷｅｂブラウザなどを備え、ネットワーク機器としてＬＡＮ（Ｌｏｃａｌ  Ａｒｅａ  Ｎｅｔｗｏｒｋ）などのネットワークに接続されるようになった（例えば、特許文献１参照）。
【０００３】
図３（ａ）は、既存の産業用機器の構成を概念的に示す図である。
図３（ａ）に示すように、産業用機器３０は、加工処理や計測／検査処理などを行う被制御部３１に対する設定処理や制御を行う機能を受けもつ制御部３２と、オペレータとのインターフェースを受けもつ表示設定部３３とを備えて構成され、制御部３２と表示設定部３３とがネットワーク３４を介して接続されている。
【０００４】
制御部３２は、ＨＴＭＬ（Ｈｙｐｅｒ Ｔｅｘｔ Ｍａｒｋｕｐ Ｌａｎｇｕａｇｅ）やＸＭＬ（ｅＸｔｅｎｓｉｂｌｅ Ｍａｒｋｕｐ Ｌａｎｇｕａｇｅ）などの標準化されたページ記述言語で記載されたデータファイル及びそのファイルと関連付けられているイメージデータなどのファイルを記録する表示データファイル群３５と、表示設定部３３からの要求に対応する表示データファイル群３５内のデータを表示設定部３３に送信する表示データファイル送信部３６と、表示設定部３３からの指示に基づいて被制御部３１に対する設定処理や制御を行う制御・設定処理部３７とを備える。
【０００５】
表示設定部３３は、液晶によるフラットパネルやタッチパネルなどで構成される入出力部３８と、制御部３２から送られてくるデータを解析して入出力部３８により表示される表示データを生成する表示解析部３９とを備える。
まず、制御部３２は、表示設定部３３からの要求に対応するデータを表示データファイル群３５内から取り出し、そのデータを表示データファイル送信部３６からネットワーク３４を介して表示設定部３３に送信する。
【０００６】
次に、表示設定部３３は、表示解析部３９において制御部３２から送られてくるデータを解析して表示データを生成し、入出力部３８においてその表示データを表示する。
ところで、入出力部３８に表示される画像は、カタログやマニュアルの作成などのために利用される場合がある。
【０００７】
図３（ｂ）は、入出力部３８に表示される画像の一例を示す図である。
このような入出力部３８に表示される画像４０は、従来では、例えば、カメラなどで撮影し、その画像を利用してカタログやマニュアルの作成などを行っていた。
【特許文献１】特開２００３−５８２５号  （第３〜６頁、第１〜４図）
【発明の開示】
【発明が解決しようとする課題】
【０００８】
しかしながら、このように、人手を介して入出力部３８に表示される画像をカタログやマニュアルの作成などのために加工することは、人件費や手間がかかるため、コスト高や多くの時間が費やされるという問題がある。
そこで、本発明では、低コストでかつ短時間で出力部に表示される画像を加工することが可能な産業用機器及び表示装置を提供することを目的とする。
【課題を解決するための手段】
【０００９】
上記の課題を解決するために本発明では、以下のような構成を採用した。
すなわち、本発明の産業用機器は、被制御部を制御する制御部と該制御部とネットワークを介してデータを送受信する表示設定部とを備え、前記ネットワークを介してコンピュータとデータを送受信する産業用機器であって、前記制御部は、複数のデータを記録する記録部と、前記表示設定部から送信される第１の要求データを受信すると共に、該第１の要求データに基づいて、前記記録部に記録される前記複数のデータから取り出される所定のデータを前記表示設定部に送信する第１の送受信部とを備え、前記表示設定部は、前記制御部に前記第１の要求データを送信すると共に、前記制御部から送信される前記所定のデータ及び前記コンピュータから送信される第２の要求データを受信する第２の送受信部と、前記第２の送受信部で受信される前記所定のデータから表示データを生成する表示データ生成部と、前記表示データ生成部で生成される前記表示データを表示する表示部とを備え、前記表示データ生成部は、前記第２の要求データに基づいて前記表示部により表示されている画像をそのまま表す画像データを生成し、前記第２の送受信部は、前記コンピュータが前記画像データを処理できるように、前記画像データを前記コンピュータに送信することを特徴とする。
【００１０】
上記複数のデータは、例えば、ＨＴＭＬやＸＭＬなどで記載されたデータ及びそれらデータと関連付けられているイメージデータなどであり、上記産業用機器では、ネットワークを介して画像データをコンピュータに送信している。これにより、人手を介すことなく、画像データをコンピュータに処理させることができるので、低コストでかつ短時間で出力部に表示されている画像を加工することができる。
【００１１】
また、本発明の範囲は、ネットワークを介して所定のデータ及び要求データを受信する送受信部と、前記送受信部で受信される前記所定のデータから表示データを生成する表示データ生成部と、前記表示データ生成部で生成される表示データを表示する表示部とを備え、前記表示データ生成部は、前記要求データに基づいて前記表示部により表示されている画像をそのまま表す画像データを生成し、前記送受信部は、前記コンピュータが前記画像データを処理できるように、前記画像データを前記コンピュータに送信する表示装置にまで及ぶ。
【００１２】
また、本発明の産業用機器は、被制御部を制御する制御部と、該制御部とネットワークを介してデータを送受信する表示設定部とを備える産業用機器であって、前記制御部は、複数のデータを記録する記録部と、前記表示設定部から送信される要求データを受信すると共に、該要求データに基づいて、前記記録部に記録される前記複数のデータから取り出される所定のデータを前記表示設定部に送信する第１の送受信部とを備え、前記表示設定部は、前記制御部に前記要求データを送信すると共に、前記制御部から送信される前記所定のデータを受信する第２の送受信部と、前記第２の送受信部で受信される前記所定のデータから表示データを生成させる表示データ生成部と、前記表示データ生成部で生成される前記表示データを表示する表示部とを備え、前記表示データ生成部は、前記表示部により表示されている画像をそのまま表す画像データを生成し、コンピュータが前記画像データを処理できるように、前記画像データを記録媒体に記録することを特徴とする。
【００１３】
上記記録媒体は、例えば、表示設定部に備えられるメモリカードリーダで読み取り可能なメモリカードやコンピュータに備えられるハードディスクなどであり、上記産業用機器では、この記録媒体に画像データを記録している。これにより、あまり人手を介すことなく、画像データをコンピュータに処理させることができるので、低コストでかつ短時間で出力部に表示されている画像を加工することができる。
【００１４】
また、本発明の範囲は、ネットワークを介して所定のデータを受信する受信部と、前記受信部で受信される前記所定のデータから表示データを生成させる表示データ生成部と、前記表示データ生成部で生成される前記表示データを表示する表示部とを備え、前記表示データ生成部は、前記表示部により表示されている画像をそのまま表す画像データを生成し、コンピュータが前記画像データを処理できるように、前記画像データを記録媒体に記録する表示装置にまで及ぶ。
【００１５】
また、上記産業用機器または上記表示装置における画像データは、ビットマップデータとしてもよい。
また、上記産業用機器における表示設定部または上記表示装置は、組込機器として構成してもよい。
【００１６】
このように、表示設定部または表示装置を組込機器として構成する場合、個々の表示設定部または表示装置は、できるだけコストを抑えて生産されることが望ましく、個々の表示設定部または表示装置の生産コストを抑えるためには、例えば、表示設定部または表示装置に備えられるメモリの記録領域を小さくすることが行われる。しかし、このように、表示設定部または表示装置に備えられるメモリの記憶領域に制限が設けられる場合においても、上記産業用機器または上記表示装置では、入出力部に表示されている画像の画像データを表示設定部または表示装置の内部に記録しない構成であるので実現可能である。
【００１７】
また、上記産業用機器または上記表示装置における所定データは、産業用機器により制御される被制御部に関連する情報を前記表示部に表示させるためのデータとしてもよい。
【発明の効果】
【００１８】
本発明によれば、人手を介すことなく、出力部に表示されている画像の画像データをコンピュータに処理させることができるので、低コストでかつ短時間で出力部に表示されている画像を加工することができる。
【発明を実施するための最良の形態】
【００１９】
以下、本発明の実施の形態を図面を用いて説明する。
図１は、本発明の実施形態の産業用機器の構成を概念的に示す図である。
図１に示すように、産業用機器１は、加工処理や計測／検査処理などを行う被制御部２（例えば、織機など）の設定処理や制御を行う機能を受けもつ制御部３と、オペレータとのインターフェース機能を受けもつ表示設定部４（表示装置）とを備えて構成され、制御部３と表示設定部４とがネットワーク５（ＬＡＮ：Ｌｏｃａｌ  Ａｒｅａ  Ｎｅｔｗｏｒｋなど）を介して接続されている。なお、例えば、制御部３と表示設定部４との接続にＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）などを用い、制御部３から表示設定部４へのデータの送信にＨＴＴＰ（ＨｙｐｅｒＴｅｘｔ Ｔｒａｎｓｆｅｒ Ｐｒｏｔｏｃｏｌ）などを用いるようにしてもよい。
【００２０】
制御部３は、ＨＴＭＬやＸＭＬなどで記載されたデータ及びそれらデータと関連付けられているイメージデータなどを記録する記録部６と、表示設定部４からの要求データ（第１の要求データ）を受信すると共に、その要求データに対応する記録部６内のデータを表示設定部４に送信する送受信部７（第１の送受信部）と、表示設定部４からの指示に基づいて被制御部２に対する設定処理や制御を行う制御・設定処理部８とを備える。
【００２１】
表示設定部４は、液晶によるフラットパネルやタッチパネルなどで構成される入出力部９（表示部）と、制御部３から送られてくるデータを解析して入出力部９により表示される表示データを生成すると共に、入出力部９に表示される画像をそのまま表す画像データを生成する表示解析部１０（表示データ生成部）と、制御部３に要求データなどを送信すると共に制御部３から送られてくるデータなどを受信する送受信部１１（第２の送受信部、受信部）とを備える。
【００２２】
また、産業用機器１は、ネットワーク５を介してＰＣ（Ｐｅｒｓｏｎａｌ  Ｃｏｍｐｕｔｅｒ）１２（コンピュータ）と接続されている。
ＰＣ１２は、オペレータの要求に基づく要求データ（第２の要求データ）を表示設定部４に送信すると共に、表示設定部４から送信される画像データを受信する送受信部１３と、送受信部１３で受信される画像データを記録する記録部１４と、液晶ディスプレイなどで構成される出力部１５と、記録部１４に記録される画像データを解析して出力部１５により表示される表示データを生成する表示解析部１６とを備える。
【００２３】
まず、表示設定部４は、オペレータの入出力部９の操作による要求データを、送受信部１１からネットワーク５を介して制御部３に送信する。
制御部３は、送受信部７で受信された表示設定部４からの要求データに対応するデータを記録部６から取り出し、そのデータを送受信部７からネットワーク５を介して表示設定部４に送信する。
【００２４】
表示設定部４は、送受信部１１で受信されたデータを表示解析部１０において解析して表示データを生成し、その表示データを入出力部９に表示する。
そして、表示設定部４は、送受信部１１においてＰＣ１２からの要求データが受信されると、表示解析部１０において入出力部９により表示されている画像をそのまま表す画像データを生成し、その画像データを送受信部１１よりＰＣ１２へ送信する。
【００２５】
このように、本実施形態の産業用機器１の特徴とする点は、表示解析部１０において入出力部９により表示されている画像から画像データを生成し、送受信部１１においてその画像データをＰＣ１２へ送信する点である。すなわち、例えば、ＰＣ１２には、表示設定部４と通信を行い、画像データを取り込む専用プログラムが搭載され、表示設定部４には、ＰＣ１２側の専用プログラムの指示（第２の要求データ）に従い、入出力部９のディスプレイに表示されている画面を画像データ（例えば、ビットマップデータやそのビットマップデータが圧縮されたデータなど）にする専用プログラムが搭載される。
【００２６】
次に、オペレータの動作の一例を説明する。
（１−１）まず、オペレータは、表示設定部４の入出力部９を操作してハードコピーしたい画面を表示させる。
（１−２）次に、オペレータは、ＰＣ１２に搭載された専用プログラムを操作して、（１−１）で表示された画面のＢＭＰ（BitMaPs）データを生成させ、同時にＰＣ１２側に送り込ませる。
【００２７】
そして、ＢＭＰデータを受け取ったＰＣ１２は、専用プログラムによりハードディスク（記録部１４）にＢＭＰデータを記録する。また、ＰＣ１２は、ＢＭＰデータを、汎用のＢＭＰ表示プログラムを用いてディスプレイ（出力部１５）などに表示し、オペレータの指示による画像の加工（例えば、カタログやマニュアルなどに掲載させるために必要なトリミングや補正などの画像処理）を行う。
【００２８】
このように、ネットワーク５を介して、ＰＣ１２がその画像データを処理できるように、入出力部９に表示されている画像から画像データを生成し、その画像データをＰＣ１２に送信しているので、人手を介すことなく、入出力部９により表示されている画像の画像データをＰＣ１２に処理させることができる。これにより、低コストでかつ短時間で入出力部９により表示されている画像を加工することができる。
【００２９】
また、図１に示す表示設定部４を実現するためのハードウェア構成の一例として、例えば、ＣＰＵ（Ｃｅｎｔｒａｌ Ｐｒｏｃｅｓｓｉｎｇ Ｕｎｉｔ）、メモリ、外部記憶装置、入出力装置（上記入出力部９）、ネットワーク接続装置（上記送受信部１１）などを備える構成が考えられ、それらはバスにより互いに接続される。
【００３０】
上記メモリは、例えば、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）などを含み、処理に用いられるプログラム（例えば、Ｗｅｂブラウザや上記専用プログラムなど）やデータ（例えば、ＨＴＭＬやＸＭＬなど）などを格納する。
【００３１】
上記ＣＰＵは、上記メモリを利用してＷｅｂブラウザ起動用のプログラムや上記専用プログラムを実行するなどの必要な処理を行う。
上記外部記憶装置は、例えば、磁気ディスク装置、光ディスク装置、光磁気ディスク装置などが考えられる。そして、オペレータは、例えば、この外部記憶装置にＷｅｂブラウザ起動用のプログラムや上記専用プログラムなどを記録しておき、必要に応じて、それらを上記メモリにロードして使用するようにしてもよい。
【００３２】
また、同様に、制御部３やＰＣ１２を実現するためのハードウェア構成の一例として、例えば、上記ＣＰＵ、上記メモリ、上記外部記憶装置、上記ネットワーク接続装置（上記送受信部７）などを備え、それらがバスにより互いに接続される構成が考えられる。
なお、上記産業用機器１では、ＰＣ１２側の専用プログラムの指示（第２の要求データ）に従い、表示解析部１０において入出力部９に表示されている画像から画像データを生成し、送受信部１１においてその画像データをＰＣ１２へ送信する構成であるが、ＰＣ１２側の専用プログラムの指示ではなく、例えば、オペレータの入出力部９の操作により、表示解析部１０において入出力部９に表示されている画像から画像データを生成し、その画像データがＰＣ１２の記録部１４に記録されるように画像データをＰＣ１２へ送信する構成としてもよい。
【００３３】
また、図２は、本発明の他の実施形態の産業用機器の構成を概念的に示す図である。なお、図１と同一な構成については同一の符号をつけ、その説明を省略する。
図２に示すように、産業用機器１７は、制御部３と、表示設定部４（表示装置）とを備えて構成され、制御部３と表示設定部４とがネットワーク５を介して接続されている。なお、例えば、制御部３と表示設定部４との接続にＴＣＰ／ＩＰなどを用い、制御部３から表示設定部４へのデータの送信にＨＴＴＰなどを用いるようにしてもよい。
【００３４】
制御部３は、記録部６と、送受信部７（第１の送受信部）と、制御・設定処理部８とを備える。
表示設定部４は、入出力部９（表示部）と、表示解析部１０（表示データ生成部）と、送受信部１１（第２の送受信部、受信部）と、可搬記録媒体を駆動して、その可搬記録媒体の記録内容にアクセスする媒体駆動部１８とを備える。なお、可搬記録媒体としては、メモリカード、フレキシブルディスク、ＣＤ−ＲＯＭ（Ｃｏｍｐａｃｔ Ｄｉｓｋ Ｒｅａｄ Ｏｎｌｙ Ｍｅｍｏｒｙ ）、光ディスク、光磁気ディスクなどが考えられる。
【００３５】
また、産業用機器１７は、ネットワーク５を介してＰＣ１２（コンピュータ）と接続されている。
ＰＣ１２は、送受信部１３と、記録部１４と、出力部１５と、表示解析部１６と、媒体駆動部１８とを備える。
【００３６】
まず、表示設定部４は、オペレータの入出力部９の操作による要求データを、送受信部１１からネットワーク５を介して制御部３に送信する。
制御部３は、送受信部７で受信された表示設定部４からの要求データに対応するデータを記録部６から取り出し、そのデータを送受信部７からネットワーク５を介して表示設定部４に送信する。
【００３７】
表示設定部４は、送受信部１１で受信されたデータを表示解析部１０において解析して表示データを生成し、その表示データを入出力部９に表示する。
そして、表示設定部４は、オペレータの入出力部９の操作により、表示解析部１０において入出力部９により表示されている画像をそのまま表す画像データを生成し、その画像データを媒体駆動部１８において可搬記録媒体に記録する。
【００３８】
このように、本実施形態の産業用機器１７の特徴とする点は、表示解析部１０において入出力部９により表示されている画像から画像データを生成し、媒体駆動部１８においてその画像データを可搬記録媒体に記録する点である。すなわち、例えば、ＰＣ１２には、メモリカードを駆動するメモリカードリーダが備えられ、そのメモリカードに入出力部９に表示されている画面そのままを表す画像データを記録させる。
【００３９】
次に、オペレータの動作の一例を説明する。
（２−１）まず、オペレータは、表示設定部４の入出力部９を操作してハードコピーしたい画面を表示させる。
（２−２）次に、オペレータは、入出力部９を操作して、（２−１）で表示された画面のＢＭＰデータを生成させ、そのＢＭＰデータをメモリカードに記録させる。
【００４０】
そして、ＰＣ１２側では、そのメモリカード内のＢＭＰデータを媒体駆動部１８において読み取り、ハードディスク（記録部１４）などに記録する。また、ＰＣ１２は、ＢＭＰデータを、汎用のＢＭＰ表示プログラムを用いてディスプレイ（出力部１５）などに表示し、オペレータの指示による画像の加工（例えば、カタログやマニュアルなどに掲載させるために必要なトリミングや補正などの画像処理）を行う。
【００４１】
このように、ＰＣ１２側で読み取ることが可能な可搬記録媒体に画像データを記録しているので、あまり人手を介すことなく、入出力部９により表示されている画像の画像データをＰＣ１２に処理させることができる。これにより、低コストでかつ短時間で入出力部９に表示されている画像を加工することができる。
【００４２】
また、上記表示設定部４のような組込機器は、例えば、１つの工場に複数台設置される場合があり、個々の表示設定部４は、できるだけコストを抑えて生産されることが望ましい。そして、このように、個々の表示設定部４の生産コストを抑えるため、例えば、表示設定部４に備えられるメモリの記録領域を小さくすることが行われる。そして、このように、表示設定部４に備えられるメモリの記憶領域に制限が設けられる場合においても、上記産業用機器１または１７は、入出力部９に表示されている画像の画像データの記録先を表示設定部４内部のメモリとしない構成であるので実現可能である。
【００４３】
また、図２に示す表示設定部４を実現するためのハードウェア構成の一例として、例えば、ＣＰＵ、メモリ、外部記憶装置、媒体駆動装置（上記媒体駆動部１８）、入出力装置（上記入出力部９）、ネットワーク接続装置（上記送受信部１１）などを備える構成が考えられ、それらはバスにより互いに接続される。なお、メモリ、ＣＰＵ、外部記憶装置は、図１に示す表示設定部４を実現するためのハードウェア構成のメモリ、ＣＰＵ、外部記憶装置と同様である。
【００４４】
上記媒体駆動装置は、可搬記録媒体を駆動し、その記録内容にアクセスする。そして、オペレータは、例えば、この可搬記録媒体に上記画像データ（例えば、ＢＭＰデータなど）などを格納しておき、必要に応じて、それらを上記メモリにロードしてもよい。
【図面の簡単な説明】
【００４５】
【図１】本発明の実施形態の産業用機器の構成を概念的に示す図である。
【図２】本発明の他の実施形態の産業用機器の構成を概念的に示す図である。
【図３】既存の産業用機器の構成を概念的に示す図である。
【符号の説明】
【００４６】
１      産業用機器
２      被制御部
３      制御部
４      表示設定部
５      ネットワーク
６      記録部
７      送受信部
８      制御・設定処理部
９      入出力部
１０    表示解析部
１１    送受信部
１２    ＰＣ
１３    送受信部
１４    記録部
１５    出力部
１６    表示解析部
１７    産業用機器
１８    媒体駆動部
【図１】
2005092819.tif 000003
【図２】
2005092819.tif 000004
【図３】
2005092819.tif 000005